(57)【特許請求の範囲】
【請求項１】
長尺のシート材を巻取りローラに導き、この巻取りローラを回転させて、上記のシート材を巻取りローラに巻き取る巻取り装置において、上記のシート材の巻取り端部を挟持する挟持部を有する調整部材を、上記の巻取りローラの外周部にその径方向に回動可能に設けると共に、この調整部材が巻取りローラの径方向内方に回動するのを規制する規制部材を設け、さらにこの規制部材を操作する操作手段を設けたことを特徴とする巻取り装置であって、
上記の操作手段により規制部材を操作し、シート材を巻取りローラに巻き取る際に、上記の規制部材により調整部材が巻取りローラの外周部より径方向内方に回動するのを規制する一方、巻取りローラに巻き取られたシート材を巻取りローラから取り外す際に、上記の規制部材による規制を解除させて、調整部材を上記の規制部材によって規制された位置より径方向内方に回動可能にし、
上記の巻取りローラよりも上記のシート材の送り方向上流側に一対のテンションローラを圧接・離隔可能に設け、上記の操作手段によってこの一対のテンションローラの圧接・離隔を制御し、巻取りローラによるシート材の巻き取りを行う前に、この一対のテンションローラを離隔させる一方、シート材を巻取りローラに巻き取る際に、この一対のテンションローラを圧接させることを特徴とする巻取り装置。
【請求項２】
長尺のシート材の片面に複数のラベルが剥離可能に貼付されたラベル連続体を移送させてラベル剥離部に導き、このラベル剥離部において、上記のシート材からラベルを順々に剥離させて被貼付物にラベルを貼付させ、このようにラベルが剥離されたシート材を巻取りローラに巻き取る巻取り装置が設けられたラベル貼付装置において、この巻取り装置として、請求項１に記載した巻取り装置を用いたことを特徴とするラベル貼付装置。
【発明の詳細な説明】
【技術分野】
【０００１】
この発明は、長尺のシート材を巻取りローラに導き、この巻取りローラを回転させて、上記のシート材を巻取りローラに巻き取るようにした巻取り装置及びこのような巻取り装置を備えたラベル貼付装置に関するものである。特に、この発明においては、長尺のシート材を巻取りローラに巻き取る作業や、巻取りローラに巻き取ったシート材を巻取りローラから取り外す作業が容易に行えるようにした点に特徴を有するものである。
【背景技術】
【０００２】
従来から、長尺のシート材の片面に複数のラベルが剥離可能に貼付されたラベル連続体をラベル剥離部に導き、このラベル剥離部において上記のシート材からラベルを順々に剥離させて、被貼付物にラベルを貼付させるようにしたラベル貼付装置が用いられており、このようにラベルを剥離させた後の長尺のシート材を巻取り装置によって巻き取ることが行われている。
【０００３】
また、長尺のシート材を巻き取る巻取り装置としては、従来から様々なものが使用されており、例えば、特許文献１等に示されるように、巻芯の両側に巻芯軸を挿入させ、この巻芯にシート材の巻取り端部を巻き付け、上記の巻芯軸により巻芯を回転させて、シート材を巻芯に巻き取るようにしたものや、特許文献２に示されるように、一対のプレート間に複数の柱状部材を円周状に架設させた巻取リールを用い、この巻取リールに設けた柱状部材にシート材の巻取り端部を係止させ、この状態で巻取リールを回転させて、円周状に架設された柱状部材の外周部側にシート材を巻芯に巻き取るようにしたもの等が用いられている。
【０００４】
しかし、上記のようにしてシート材を巻き取った場合、巻き取ったシート材の中心に巻芯が残り、また巻き取ったシート材を巻取リールから簡単に離脱させることができず、巻き取ったシート材を廃棄して処分することが面倒になる等の問題があった。
【０００５】
このため、上記のラベル貼付装置のように、ラベルを剥離させた後の長尺のシート材を巻取り装置によって巻き取るにあたっては、シート材を巻取りローラに直接巻き取り、このように巻き取ったシート材を巻取りローラから取り外すことが行われている。
【０００６】
ここで、このようにシート材を巻取りローラに直接巻き取るにあたり、従来においては、図１に示すように、巻取りローラ1の軸方向に沿った係止凹部１ａを、巻取りローラ１
の外周部の反対側に相互に位置するように一対設けると共に、この一対の係止凹部１ａに係合する一対の係止脚２ａを有するＵ字状になった係止部材２を用い、シート材（図示せず）の巻取り端部を上記の係止凹部１ａと係止部材２の係止脚２ａとの間に挟み込むようにして、この係止部材２を巻取りローラ１に装着させ、この係止部材２によりシート材の巻取り端部を巻取りローラ１に係止させた状態で、この巻取りローラ１を回転させて、巻取りローラ１に直接シート材を巻き取ることが行われている。
【０００７】
また、このようにしてシート材を巻取りローラ１に巻き取った後、上記の係止部材２を巻取りローラ１から取り外して、巻き取ったシート材を巻取りローラ１から取り外すことが行われている。
【０００８】
しかし、上記のようにシート材の巻取り端部を巻取りローラ１の係止凹部１ａと係止部材２の係止脚２ａとの間に挟み込むようにして、シート材の巻取り端部を係止部材２により巻取りローラ１に係止させるようにしたり、シート材を巻取りローラ１に巻き取った後
、上記の係止部材２を巻取りローラ１から取り外して、巻き取ったシート材を巻取りローラ１から取り外したりする作業は面倒であり、長尺のシート材を巻き取ったり、巻き取ったシート材を取り外したりする作業効率が悪くなるという問題があった。また、上記のように巻取りローラ１に対して係止部材２を取り付けたり、取り外したりしている間に、この係止部材２が紛失したりするという問題もあった。
【特許文献１】特開平８−２３１０９２号公報
【特許文献２】特開２００６−２７８２３号公報
【発明の開示】
【発明が解決しようとする課題】
【０００９】
この発明は、長尺のシート材を巻取りローラに導き、この巻取りローラを回転させて、上記のシート材を巻取りローラに巻き取るようにした巻取り装置及びこのような巻取り装置を備えたラベル貼付装置における上記のような様々な問題を解決することを課題とするものである。
【００１０】
すなわち、この発明においては、長尺のシート材を巻取りローラに巻き取る作業や、巻取りローラに巻き取ったシート材を巻取りローラから取り外す作業が容易に行えるようにすることを課題とするものである。
【課題を解決するための手段】
【００１１】
この発明に係る巻取り装置においては、上記のような課題を解決するため、長尺のシート材を巻取りローラに導き、この巻取りローラを回転させて、上記のシート材を巻取りローラに巻き取る巻取り装置において、上記のシート材の巻取り端部を挟持する挟持部を有する調整部材を、上記の巻取りローラの外周部にその径方向に回動可能に（径方向の内方及び外方に動きうるように）設けると共に、この調整部材が巻取りローラの径方向内方に回動するのを規制する規制部材を設け、さらにこの規制部材を操作する操作手段を設けた。
【００１２】
そして、この巻取り装置においては、上記の操作手段により規制部材を操作し、シート材を巻取りローラに巻き取る際に、上記の規制部材により調整部材が巻取りローラの外周部より径方向内方に回動するのを規制する一方、巻取りローラに巻き取られたシート材を巻取りローラから取り外す際に、上記の規制部材による規制を解除させ、調整部材を上記の規制部材によって規制された位置より径方向内方に回動可能な状態にさせることができる。
【００１３】
また、この巻取り装置においては、上記の調整部材を付勢部材により巻取りローラの径方向外方に付勢させて、上記の挟持部を巻取りローラの径方向外方に突出させる一方、巻取りローラに巻き取られたシート材の巻付け力により、この調整部材を巻取りローラの径方向内方に付勢させて、シート材の巻取り端部を挟持した挟持部を巻取りローラの外周部よりも内部側に位置させるようにすることができる。また、上記の調整部材を付勢部材により、巻取りローラの径方向内方に付勢させるようにすることもできる。
【００１４】
また、この巻取り装置においては、上記の巻取りローラよりもシート材の送り方向上流側に一対のテンションローラを圧接・離隔可能に設け、上記の操作手段によってこの一対のテンションローラの圧接・離隔を制御し、巻取りローラによるシート材の巻き取りを行う前に、この一対のテンションローラを離隔させる一方、シート材を巻取りローラに巻き取る際に、この一対のテンションローラを圧接させるようにすることができる。
【００１５】
そして、この発明に係るラベル貼付装置においては、長尺のシート材の片面に複数のラベルが剥離可能に貼付されたラベル連続体を移送させてラベル剥離部に導き、このラベル
剥離部において、上記のシート材からラベルを順々に剥離させて被貼付物にラベルを貼付させ、このようにラベルが剥離されたシート材を上記の巻取り装置によって巻取りローラに巻き取るようにしたのである。
【発明の効果】
【００１６】
この発明における巻取り装置においては、長尺のシート材を巻取りローラに導き、この巻取りローラを回転させて、上記のシート材を巻取りローラに巻き取るにあたり、上記のシート材の巻取り端部を挟持する挟持部を有する調整部材を、上記の巻取りローラの外周部にその径方向に回動可能に設けると共に、この調整部材が巻取りローラの径方向内方に回動するのを規制する規制部材を設け、さらにこの規制部材を操作する操作手段を設けた。
【００１７】
このようにすると、長尺のシート材を巻取りローラに巻き取るにあたり、このシート材における巻取り端部を上記の調整部材の挟持部に挟持させると共に、上記の操作手段により規制部材を操作し、この規制部材によって調整部材が巻取りローラの外周部より径方向内方に回動するのを規制させた状態で、上記の巻取りローラを回転させて、長尺のシート材を巻取りローラに巻き取るようにすることができる。
【００１８】
そして、このように長尺のシート材を巻取りローラに巻き取った後、このように巻き取ったシート材を巻取りローラから取り外す際に、上記の操作手段により規制部材を操作し、規制部材による規制を解除させて、調整部材が上記の規制部材によって規制された位置より径方向内方に回動できるようにすると、巻取りローラに巻き取られたシート材の巻付け力によって、上記の調整部材が上記の規制部材によって規制された位置より径方向内方に回動して収縮し、巻取りローラに対するシート材の巻付け力が低下して、巻き取られたシート材を巻取りローラから簡単に取り外すことができるようになる。
【００１９】
また、前記のように、調整部材を付勢部材によって巻取りローラの径方向内方に付勢させるようにすると、上記のように規制部材による規制を解除させた場合に、この付勢部材の付勢力によって、上記の調整部材が規制部材によって規制された位置より径方向内方に必然的に回動して収縮し、その結果、巻取りローラに巻き取られたシート材による径方向内方への押圧力が弱い場合においても、巻き取られたシート材を巻取りローラから簡単に取り外すことができるようになる。
【００２０】
また、この巻取り装置において、上記の調整部材を付勢部材により巻取りローラの径方向外方に付勢させて、上記の挟持部を巻取りローラの径方向外方に突出させるようにすると、長尺のシート材における巻取り端部を調整部材の挟持部に挟持させる操作が容易に行えるようになる。また、この状態で、長尺のシート材を巻取りローラに巻き取るようにした場合に、シート材の巻付け力により、巻取りローラの径方向外方に付勢された調整部材が巻取りローラの径方向内方に付勢されて、上記の規制部材によって規制される位置まで調整部材が巻取りローラの径方向内方に回動し、シート材の巻取り端部を挟持した挟持部が巻取りローラの外周部よりも内部側に位置するように構成すると、調整部材の挟持部に挟持されたシート材の巻取り端部が簡単に外れるのが防止されるようになる。
【００２１】
また、この巻取り装置において、上記の巻取りローラよりもシート材の送り方向上流側に一対のテンションローラを圧接・離隔可能に設け、上記の操作手段によってこの一対のテンションローラの圧接・離隔を制御させるようにした場合において、巻取りローラによるシート材の巻き取りを行う前に、この一対のテンションローラを離隔させると、シート材をこの一対のテンションローラの間を通して上記の巻取りローラに導く作業が簡単に行えるようになる。一方、シート材を巻取りローラに巻き取る際に、操作手段によりこの一対のテンションローラを圧接させると、このテンションローラによりシート材にテンショ
ンが加わった状態で巻取りローラに導かれて巻き取られるようになり、シート材が巻取りローラに適切に巻き取られるようになる。
【００２２】
また、この発明のラベル貼付装置においては、長尺のシート材の片面に複数のラベルが剥離可能に貼付されたラベル連続体を移送させてラベル剥離部に導き、このラベル剥離部において、上記のシート材からラベルを順々に剥離させて被貼付物にラベルを貼付させ、このようにラベルが剥離されたシート材を上記の巻取り装置によって巻取りローラに巻き取るようにしたため、ラベルが剥離された長尺のシート材を巻取りローラに巻き取る作業や、巻取りローラに巻き取ったシート材を巻取りローラから取り外す作業が容易に行えるようになる。
【発明を実施するための最良の形態】
【００２３】
以下、この発明の実施形態に係る巻取り装置を用いたラベル貼付装置を添付図面に基づいて具体的に説明する。なお、この発明に係る巻取り装置及びラベル貼付装置は、特に下記の実施形態に示したものに限定されるものではなく、その要旨を変更しない範囲において適宜変更して実施できるものである。
【００２４】
この実施形態のラベル貼付装置においては、図２に示すように、長尺のシート材１１の表面にその長手方向にラベル１２が所要間隔を介して剥離可能に貼付された長尺のラベル連続体１０を用い、図３に示すように、このラベル連続体１０を送出しローラ２１に巻き付け、この送出しローラ２１からラベル連続体１０を送り出すようにしている。
【００２５】
そして、上記の送出しローラ２１から送り出されたラベル連続体１０を、案内ローラ２２と、操作手段３０となる操作レバー３１の軸３２に回転可能に設けられた送りローラ３３とを介して板状になったラベル剥離部２３に導き、このラベル剥離部２３に沿ってラベル連続体１０を折り返し状に搬送させ、ラベル連続体１０が折り返されるラベル剥離部２３の先端部において、シート材１１の表面に剥離可能に貼付されたラベル１２を剥離させ、搬送装置２５によって搬送される被貼付物Ｘに剥離させたラベル１２を貼付させるようにしている。
【００２６】
そして、このようにラベル１２が剥離された後のシート材１１を、巻取り装置４０に設けられた巻取りローラ４１に巻き取るにあたっては、上記のシート材１１を圧接された状態にある圧接・離隔可能な一対のテンションローラ５１，５２に導き、この一対のテンションローラ５１，５２に架け渡すようにして、上記のシート材１１をこの一対のテンションローラ５１，５２の間を通して巻取りローラ４１に導くようにする。
【００２７】
そして、この巻取りローラ４１の外周部においてその径方向に回動可能に設けられた調整部材４２の挟持部４３に上記のシート材１１の巻取り端部を挟持させた状態で、この巻取りローラ４１を回転させて、上記の一対のテンションローラ５１，５２と巻取りローラ４１との間で上記のシート材１１にテンションを付与した状態で、シート材１１を調整部材４２が設けられた巻取りローラ４１の外周部に巻き取るようにしている。
【００２８】
ここで、この実施形態においては、上記の一対のテンションローラ５１，５２における一方のテンションローラ５１を、回動軸５３を中心に回動する回動アーム５４に保持させ、この一方のテンションローラ５１を回動アーム５４により回動軸５３を中心に回動させて、他方のテンションローラ５２に対して圧接・離隔できるようにしている。
【００２９】
また、このように一方のテンションローラ５１を回動アーム５４により回動軸５３を中心に回動させて、他方のテンションローラ５２に対して圧接・離隔させるにあたっては、図４及び図５に示すように、上記の回動軸５３に取り付けられた回動アーム５４と一緒に
回動する回動プレート５５を回動アーム５４に一体に取り付け、この回動プレート５５の一端側に、この回動プレート５５の一端側を引っ張るように付勢するバネ部材５６を設けると共に、この回動プレート５５の他端側の部分を、上記の操作レバー３１の軸３２に取り付けられたカム部材３４に当接させている。
【００３０】
そして、一方のテンションローラ５１を他方のテンションローラ５２に圧接させるにあたっては、図４に示すように、回動アーム５４に取り付けられた上記の回動プレート５５の他端側の部分を、上記の操作レバー３１の軸３２に取り付けられたカム部材３４の凹部３４ａに当接させ、上記のバネ部材５６により回動プレート５５の一端側を引っ張るように付勢して、一方のテンションローラ５１を他方のテンションローラ５２に圧接させるようにする。
【００３１】
また、一方のテンションローラ５１を他方のテンションローラ５２から離隔させるにあたっては、図５に示すように、上記の操作レバー３１を所定方向に回転させて、この軸３２に取り付けられたカム部材３４を回転させ、このカム部材３４により上記の回動プレート５５を介して上記の回動アーム５４を他方のテンションローラ５２から離れる方向に回動させ、上記のように圧接された状態にある一方のテンションローラ５１を他方のテンションローラ５２から離隔させるようにする。
【００３２】
また、この実施形態においては、図３に示すように、上記の巻取りローラ４１における直径方向両側の外周部に、それぞれ巻取りローラ４１の径方向に回動可能になった調整部材４２を設けている。
【００３３】
そして、この実施形態においては、図６〜図８に示すように、この調整部材４２に内挟持板４３ａと外挟持板４３ｂとで構成される挟持部４３を設け、上記の内挟持板４３ａと外挟持板４３ｂとの間に上記のシート材１１の巻取り端部を挟持させるようにすると共に、上記の内挟持板４３ａの先端部に内周側に突出した係合部４４を設けている。
【００３４】
また、上記の巻取りローラ４１の内部から下方に延出されて上下方向に移動可能になった規制部材４５の上端部に、上記の内挟持板４３ａの係合部４４に係合する係合膨出部４５ａを設けると共に、巻取りローラ４１の内部において、この規制部材４５に径方向外方に向かうバネ４６を設け、このバネ４６により上記の調整部材４２における内挟持板４３ａを外方に付勢させるようにしている。なお、このようにバネ４６により調整部材４２における内挟持板４３ａを外方に付勢させると、図６及び図９に示すように、内挟持板４３ａと外挟持板４３ｂとで構成される挟持部４３が巻取りローラ４１の径方向外方に突出されるようになる。
【００３５】
また、この実施形態においては、上記の操作レバー３１の操作によって、上記の規制部材４５を上下方向に移動させるにあたり、操作レバー３１の軸３２の先端に回転板３５を取り付け、この回転板３５の中心から離れた位置に回転板３５の回転に伴って移動する移動部材３６を取り付けている。
【００３６】
また、上記の巻取りローラ４１の内部から下方に延出された規制部材４５の下端部に係止部４５ｂを設けると共に、一端が取付部材４７に回動可能に取り付けられたＬ字状のアーム部材４８の他端に保持部４８ａを設け、このアーム部材４８の保持部４８ａに上記の規制部材４５の係止部４５ｂを保持させ、上記の回転板３５に設けられた移動部材３６と上記のＬ字状のアーム部材４８の折り曲げ箇所とを連結部材３７によって連結させている。
【００３７】
ここで、上記の操作レバー３１を操作して、図６及び図７に示すように、操作レバー３
１の軸３２の先端の回転板３５に取り付けられた移動部材３６を上記の規制部材４５に近づけるようにすると、この移動部材３６に取り付けられた上記の連結部材３７によりアーム部材４８が規制部材４５に向けて押され上方に回動し、このアーム部材４８の保持部４８ａに保持された係止部４５ｂを介して規制部材４５が上方に移動するようになる。
【００３８】
そして、このように規制部材４５が上方に移動すると、前記のようにシート材１１を巻取りローラ４１に巻き取った場合に、巻き取ったシート材１１による巻付け力によって調整部材４２を巻取りローラ４１の内方に収縮させる力が作用しても、図７に示すように、この調整部材４２の内挟持板４３ａの先端部において内周側に突出した係合部４４が、規制部材４５の先端に設けられた係合膨出部４５ａに当接して規制され、この調整部材４２が巻取りローラ４１の外周部より径方向内方に回動するのが抑制される。なお、調整部材４２が巻取りローラ４１の外周部より径方向内方に回動するのを規制するにあたっては、この調整部材４２の外周部が、巻取りローラ４１の外周部よりも外側に位置するように規制することが好ましく、より好ましくは、巻取りローラ４１の外周部よりも僅かに外側に位置させるようにする。
【００３９】
また、上記の操作レバー３１を操作して、図８及び図９に示すように、操作レバー３１の軸３２の先端の回転板３５に取り付けられた移動部材３６が上記の規制部材４５から離れるようにすると、この移動部材３６に取り付けられた上記の連結部材３７によりアーム部材４８が移動部材３６に引っ張られて下方に回動し、このアーム部材４８の保持部４８ａに保持された係止部４５ｂを介して規制部材４５が下方に移動するようになる。
【００４０】
そして、このように規制部材４５が下方に移動すると、規制部材４５の先端に設けられた係合膨出部４５ａが下方に移動して、調整部材４２の内挟持板４３ａの先端部において内周側に突出した係合部４４が上記の係合膨出部４５ａによって規制されなくなり、図９に示すように、この調整部材４２が、上記のように径方向内方に回動するのが規制された位置よりも径方向内方に回動できるようになる。
【００４１】
そして、この実施形態において、上記の操作レバー３１を操作させて、ラベル１２が剥離された後のシート材１１を巻取り装置４０に設けられた巻取りローラ４１に巻き取る場合について具体的に説明する。
【００４２】
最初の状態では、上記の操作レバー３１により、図５に示すように、一方のテンションローラ５１を他方のテンションローラ５２から離隔させると共に、図８に示すように、巻取りローラ４１の内部に設けられた規制部材４５を下降させると共に、規制部材４５に設けた上記のバネ４６によって、内挟持板４３ａと外挟持板４３ｂとで構成される挟持部４３を巻取りローラ４１の径方向外方に突出させるようにする。
【００４３】
そして、この状態で、上記のシート材１１を一対のテンションローラ５１，５２に導き、この一対のテンションローラ５１，５２に架け渡すようにして、シート材１１を離隔された状態にある一対のテンションローラ５１，５２の間を通して巻取りローラ４１に導き、この巻取りローラ４１の外周部に設けられた上記の調整部材４２の挟持部４３に上記のシート材１１の巻取り端部を挟持させるようにする。このようにすると、離隔された状態にある一対のテンションローラ５１，５２の間を通してシート材１１を巻取りローラ４１に導く作業が容易に行えるようになると共に、シート材１１の巻取り端部を外方に突出された状態にある調整部材４２の挟持部４３に挟持させる作業も容易に行えるようになる。
【００４４】
次いで、上記の操作レバー３１を操作し、図４に示すように、一方のテンションローラ５１を上記の回動アーム５４により回動させて、シート材１１を挟むようにして一対のテンションローラ５１，５２を圧接させると共に、図６に示すように、巻取りローラ４１の
内部に設けられた規制部材４５を上昇させ、この状態で、上記の巻取りローラ４１を回転させて、この巻取りローラ４１の外周部にシート材１１を巻き取るようにする。
【００４５】
このようにして巻取りローラ４１の外周部にシート材１１を巻き取ると、巻取りローラ４１の外周部に巻き取られたシート材１１の巻付け力により、調整部材４２が巻取りローラ４１の径方向内方に付勢されて巻取りローラ４１の径方向内方に回動し、図７に示すように、上方に移動した規制部材４５の先端に設けられた係合膨出部４５ａに、調整部材４２における内挟持板４３ａの先端部における上記の係合部４４が当接して規制されるまで、調整部材４２が巻取りローラ４１の径方向内方に回動するようになる。
【００４６】
そして、シート材１１の巻取り端部を挟持した挟持部４３の挟持部分が巻取りローラ４１の外周部よりも内部側に位置されるようにすると、この挟持部４３に挟持されたシート材１１の巻取り端部が簡単に外れるのが防止されると共に、上記の調整部材４２が、上記の規制部材４５によって規制された位置より径方向内方に回動するのが抑制され、シート材１１が巻取りローラ４１の外周部に沿って適切に巻き取られるようになる。
【００４７】
また、このようにして巻取りローラ４１の外周部にシート材１１を巻き取った後、巻取りローラ４１の外周部に巻き取られたシート材１１を巻取りローラ４１から取り外し、また新たなシート材１１を巻取りローラ４１にセットするにあたっては、上記の操作レバー３１を前記の最初の状態に戻し、図５に示すように、一方のテンションローラ５１を他方のテンションローラ５２から離隔させると共に、上記の巻取りローラ４１の内部に設けられた規制部材４５を下降させるようにする。
【００４８】
ここで、このように巻取りローラ４１の内部に設けられた規制部材４５を下降させると、調整部材４２の内挟持板４３ａの先端部における係合部４４が規制部材４５の先端に設けられた係合膨出部４５ａと接触しなくなり、上記のシート材１１の巻付け力により、図９に示すように、上記の調整部材４２が上記の規制部材４５によって規制された位置より径方向内方に回動し、これにより巻取りローラ４１の外周部に巻き取られたシート材１１の巻付け力が弱くなって、巻き取られたシート材１１を巻取りローラ４１から簡単に取り外すことができるようになる。
【００４９】
なお、このようにして巻取りローラ４１に巻き取られたシート材１１を巻取りローラ４１から取り外した後、新たなシート材１１を巻取りローラ４１に巻き取るにあたっては、前記のように、新たなシート材１１を離隔された状態にある一対のテンションローラ５１，５２の間を通して巻取りローラ４１に導くようにする。
【図面の簡単な説明】
【００５０】
【図１】シート材の巻取り端部を巻取りローラに係止させるに当たり、巻取りローラの外周部に設けられた一対の係止凹部に、Ｕ字状になった係止部材における一対の係止脚を係合させるようにした従来例の部分説明図である。
【図２】この発明の実施形態に係るラベル貼付装置に使用するラベル連続体を示した部分説明図である。
【図３】上記の実施形態に係るラベル貼付装置において、ラベル連続体からラベルを剥離させて被貼付物に剥離させた後、ラベルが剥離された後のシート材を巻取り装置に設けられた巻取りローラに巻き取る状態を示した概略説明図である。
【図４】上記の実施形態に係るラベル貼付装置において、ラベルが剥離された後のシート材を巻取りローラに導く一対のテンションローラを操作手段によって圧接させた状態を示した部分説明図である。
【図５】上記の実施形態に係るラベル貼付装置において、ラベルが剥離された後のシート材を巻取りローラに導く一対のテンションローラを操作手段によって離隔させた状態を示した部分説明図である。
【図６】上記の実施形態に係るラベル貼付装置において、巻取りローラの内部に設けた規制部材が上昇された状態で、規制部材に設けられたバネにより調整部材における挟持部が巻取りローラの径方向外方に突出される状態を示した概略説明図である。
【図７】上記の実施形態に係るラベル貼付装置において、巻取りローラの内部に設けた規制部材が上昇された状態で、調整部材が規制部材により規制されて、巻取りローラの外周部より径方向内方に回動するのが防止される状態を示した概略説明図である。
【図８】上記の実施形態に係るラベル貼付装置において、巻取りローラの内部に設けた規制部材が下降された状態で、規制部材に設けられたバネにより調整部材における挟持部が巻取りローラの径方向外方に突出される状態を示した概略説明図である。
【図９】上記の実施形態に係るラベル貼付装置において、巻取りローラの内部に設けた規制部材が下降された状態で、調整部材が巻取りローラの外周部より径方向内方に回動される状態を示した概略説明図である。
【符号の説明】
【００５１】
１０  ラベル連続体
１１  シート材
１１  ラベル
２１  送出しローラ
２２  案内ローラ
２３  ラベル剥離部
２５  搬送装置
３０  操作手段
３１  操作レバー
３２  軸
３３  送りローラ
３４  カム部材
３４ａ  凹部
３５  回転板
３６  移動部材
３７  連結部材
４０  巻取り装置
４１  巻取りローラ
４２  調整部材
４３  挟持部
４３ａ  内挟持板
４３ｂ  外挟持板
４４  係合部
４５  規制部材
４５ａ  係合膨出部
４５ｂ  係止部
４６  バネ
４７  取付部材
４８  アーム部材
４８ａ  保持部
５１，５２  テンションローラ
５３  回動軸
５４  回動アーム
５５  回動プレート
５６  バネ部材
Ｘ  被貼付物
【図１】
0005527837.tif 000002
【図２】
0005527837.tif 000003
【図３】
0005527837.tif 000004
【図４】
0005527837.tif 000005
【図５】
0005527837.tif 000006
【図６】
0005527837.tif 000007
【図７】
0005527837.tif 000008
【図８】
0005527837.tif 000009
【図９】
0005527837.tif 000010